(57)【特許請求の範囲】
【請求項１】
複数のＡＶ機器と共有モニタおよび共有スピーカとを備えるＡＶシステムにおいて、
ＡＶ機器を切替える手段と、
この手段でＡＶ機器を切替え、切替えられたＡＶ機器より得られる映像を前記共有モニタに表示させたとき、切替えられたＡＶ機器より得られる通常共有モニタに出力されない情報を前記共有モニタに自動的に出力して、前記映像とともに前記情報を前記共有モニタに表示させる手段と、
この手段で前記共有モニタに表示された前記情報を所定時間後自動的に消去させる手段と、
前記共有モニタに表示された前記情報を記憶する手段と、
前記ＡＶ機器の切替え時、切替えられたＡＶ機器より得られる前記情報を前記手段により記憶された情報と比較し、もし両方の情報が同等である場合は、切替えられたＡＶ機器より得られる情報を前記共有モニタに表示させる動作を禁止する手段とを具備し、
切替えられたＡＶ機器はデジタル放送受信手段であり、共有モニタに表示された映像は現在視聴中の番組映像であり、映像とともに表示される情報は、現在視聴中の番組に関する情報および他チャンネルの番組情報であり、
前記情報は、前記共有モニタに表示される映像と画面分割で表示されることを特徴とするＡＶシステム。
【請求項２】
前記情報は、文字情報であることを特徴とする請求項１に記載のＡＶシステム。
【発明の詳細な説明】
【０００１】
【発明の属する技術分野】
本発明は、ＡＶ（Ａｕｄｉｏ  ａｎｄ  Ｖｉｓｕａｌ）システムに関する。
【０００２】
【従来の技術】
複数のＡＶ機器と共有モニタおよび共有スピーカとを相互接続して統合して楽しむＡＶシステムは様々な形態で実現されている。図３は、ＡＶシステムの第１の構成例で、この場合は、デジタル放送受信装置１１とＤＶＤ再生装置１２およびＤ−ＶＨＳ記録装置１３を３種類のＡＶ機器として有して、これらのＡＶ機器をリモコン等の操作部１４の操作の下、アンプ内蔵コントロール装置１５により切替えて映像出力装置（共有モニタ）１６および音声出力装置（共有スピーカ）１７に接続するように構成されている。
【０００３】
図４は、ＡＶシステムの第２の構成例で、これは、ユニット２１〜２６からなる複数のユニットを１つの装置として一体化した場合である。このＡＶシステムにおいては、デジタル放送受信ユニット２２とアナログ放送受信ユニット２３とが２種類のＡＶ機器として設けられ、これらのＡＶ機器の出力がリモコン操作部２７の操作の下、出力切替ユニット２４（コントロールユニット２１で制御される）により切替えられて音声出力ユニット（共有スピーカ）２５および映像出力ユニット（共有モニタ）２６に接続されるように構成される。
【０００４】
【発明が解決しようとする課題】
ところで、図３のＡＶシステムにおいてＤＶＤ再生装置１２またはＤ−ＶＨＳ記録装置１３からの映像および音声を楽しんでいる途中で、または図４のＡＶシステムにおいてアナログ放送受信ユニット２３からの映像および音声を楽しんでいる途中で、図３のデジタル放送受信装置１１または図４のデジタル放送受信ユニット２２（以下デジタル放送受信手段という）に切替えてデジタル放送番組を視聴することはしばしばある。
【０００５】
その場合、デジタル放送番組に切替えたとき、共有モニタ上に表示されている現在の番組が何であるか、または他のチャンネルでどのような番組が放送されているか、気にかかる場合が少なくない。
【０００６】
その場合、従来は、利用者が操作部１４または２７を操作して、デジタル放送受信手段から得られる現在の番組に関する情報または他のチャンネルの番組情報を共有モニタ上に表示させることにより、それらの情報を確認できるようにしている。しかしながら、上記情報を利用者の操作の下、共有モニタ上に表示させる方法は面倒であるし、操作法を忘れてしまって戸惑うこともある。また、この方法では、上記情報を確認した後は、再び利用者が操作部１４または２７を操作して上記情報を共有モニタ上から消去する必要があるので、より手数がかかる。
【０００７】
また、従来、例えばデジタル放送受信ユニット２２の一部に液晶表示部などの簡易表示装置を付属させて、この簡易表示装置に常時現在の番組のチャンネル番号や番組名を表示させることも行われているが、この方法では、簡易表示装置が小さいため、現在の番組内容や他のチャンネルで放送されている番組情報までは表示させる（確認する）ことはできない。また、通常、利用者の視点はメインの映像出力装置である共有モニタに注がれていて簡易表示装置に目を向けることが少なく、しかも簡易表示装置が小さくてそこに表示される情報の文字のサイズも小さいので、簡易表示装置が設けられていてもあまり役立っていないのが現状である。
【０００８】
本発明は上記の点に鑑みなされたもので、他のＡＶ機器からデジタル放送受信手段に切替えたときのようなＡＶ機器切替え時に利用者の利便性を高めることができるＡＶシステムを提供することを目的とする。
【０００９】
【課題を解決するための手段】
本発明のＡＶシステムは、複数のＡＶ機器と共有モニタおよび共有スピーカとを備えるＡＶシステムにおいて、ＡＶ機器を切替える手段と、この手段でＡＶ機器を切替え、切替えられたＡＶ機器より得られる映像を前記共有モニタに表示させたとき、切替えられたＡＶ機器より得られる通常共有モニタに出力されない情報を前記共有モニタに自動的に出力して、前記映像とともに前記情報を前記共有モニタに表示させる手段と、この手段で前記共有モニタに表示された前記情報を所定時間後自動的に消去させる手段と、前記共有モニタに表示された前記情報を記憶する手段と、前記ＡＶ機器の切替え時、切替えられたＡＶ機器より得られる前記情報を前記手段により記憶された情報と比較し、もし両方の情報が同等である場合は、切替えられたＡＶ機器より得られる情報を前記共有モニタに表示させる動作を禁止する手段とを具備し、切替えられたＡＶ機器はデジタル放送受信手段であり、共有モニタに表示された映像は現在視聴中の番組映像であり、映像とともに表示される情報は、現在視聴中の番組に関する情報および他チャンネルの番組情報であり、前記情報は、前記共有モニタに表示される映像と画面分割で表示されることを特徴とする。
【００１０】
好ましい形態として、前記情報は、文字情報である。
【００１１】
【発明の実施の形態】
次に添付図面を参照して本発明によるＡＶシステムの実施の形態を詳細に説明する。本発明によるＡＶシステムの実施の形態は図４の一体型のＡＶシステムを参照して説明する。このＡＶシステムは、図４に示すように、コントロールユニット２１、第１のＡＶ機器としてのデジタル放送受信ユニット２２、第２のＡＶ機器としてのアナログ放送受信ユニット２３、出力切替ユニット２４、音声出力ユニット（共有スピーカ）２５、映像出力ユニット（共有モニタ）２６および操作部２７から構成される。
【００１２】
操作部２７は例えばリモコンで、利用者からの要求をコントロールユニット２１に送信する。コントロールユニット２１は、操作部２７（利用者）からの要求の受付と各ユニットの制御を司る。デジタル放送受信ユニット２２およびアナログ放送受信ユニット２３はそれぞれアンテナ２２ａ，２３ａに接続され、コントロールユニット２１からの要求で動作可能となり、電波を受信し、映像信号、音声信号を出力する。出力切替ユニット２４は、デジタル放送受信ユニット２２からの映像／音声信号の入力とアナログ放送受信ユニット２３からの映像／音声信号の入力とを備え、コントロールユニット２１からの制御で、デジタル放送受信ユニット２２からの映像／音声信号あるいはアナログ放送受信ユニット２３からの映像／音声信号を切替えて音声出力ユニット２５および映像出力ユニット２６に出力する。音声出力ユニット２５は、供給された音声信号を音声として再生する。映像出力ユニット２６は、供給された映像信号を映像として表示する。
【００１３】
図５は、上記ＡＶシステム内のデジタル放送受信ユニット２２の内部構成を詳細に示すブロック図である。このデジタル放送受信ユニット２２は、チューナ３１と、復調部３２と、デマルチプレクサ３３と、ビデオデコーダ３４と、オーディオデコーダ３５と、不揮発性記憶装置３６と、メインコントローラ３７と、ＯＳＤ制御部３８と、ミキシングユニット３９と、揮発性記憶装置４０とからなる。
【００１４】
チューナ３１は、アンテナ２２ａで受信された電波からユーザが希望する放送波を選択して信号を復調部３２に供給する。復調部３２は、受信信号を復調してトランスポートストリーム（以下ＴＳと言う）を得る。ＴＳはデマルチプレクサ３３に送られる。デマルチプレクサ３３は、ＴＳから映像データ、音声データおよび番組情報等の付属情報データを分離し、映像データはビデオデコーダ３４に、音声データはオーディオデコーダ３５に、付属情報データはメインコントローラ３７に供給する。オーディオデコーダ３５は、音声データをＭＰＥＧ復調して音声信号として出力する。メインコントローラ３７には、図４のコントロールユニット２１から制御信号が供給される。このメインコントローラ３７は本デジタル放送受信ユニット２２の全体を制御し、かつ各種の処理を実行する。メインコントローラ３７は、１つの制御として、前記デマルチプレクサ３３から供給された番組情報等の付属情報データを不揮発性記憶装置３６に記憶させる。また、メインコントローラ３７は、チューナ３１およびデマルチプレクサ３３に選局のための情報を送る。さらに、メインコントローラ３７は、番組情報などをオンスクリーン表示させるためのＯＳＤ制御信号をＯＳＤ制御部３８に送る。ＯＳＤ制御部３８は、前記ＯＳＤ制御信号や不揮発性記憶装置３６からの情報データを受けて、番組情報等の各種の情報をオンスクリーン表示させるための表示データを生成させる。この表示データはミキシングユニット３９に供給される。ミキシングユニット３９は、ビデオデコーダ３４からの映像データを映像信号として出力するとともに、前記映像データにＯＳＤ制御部３８からの表示データをスーパインポーズ処理して映像信号を出力する。揮発性記憶装置４０は、メインコントローラ３７が各種の処理を実行する際のワークエリアとして動作する。
【００１５】
以上のような図４のＡＶシステムにおいては、デジタル放送受信ユニット２２とアナログ放送受信ユニット２３とを切替えて、デジタル放送番組とアナログ放送番組とを選択的に視聴することができる。この動作を詳述すると、いま操作部２７（利用者）よりＡＶ機器の切替え要求をコントロールユニット２１で受け付けると、図６に示すように、現在動作中のＡＶ機器をコントロールユニット２１が確認し（ステップＳ１）、いま動作中のＡＶ機器が要求のＡＶ機器と同一であればそのままとするが、例えばアナログ放送受信ユニット２３が動作中で、要求がデジタル放送受信ユニット２２であったとすれば、コントロールユニット２１は、アナログ放送受信ユニット２３に「動作停止切替」を通知し（ステップＳ２）、デジタル放送受信ユニット２２に「動作開始切替」を通知し（ステップＳ３）、出力切替ユニット２４に「デジタル放送出力」を依頼する（ステップＳ４）。これにより、アナログ放送受信ユニット２３の動作が停止する一方、デジタル放送受信ユニット２２の動作が開始し、デジタル放送受信ユニット２２からの映像／音声信号を出力切替ユニット２４が出力するので、デジタル放送番組を映像出力ユニット２６および音声出力ユニット２５で視聴できる。これとは逆に、デジタル放送受信ユニット２２が動作中で、要求がアナログ放送受信ユニット２３であったとすれば、コントロールユニット２１は、デジタル放送受信ユニット２２に「動作停止切替」を通知し（ステップＳ５）、アナログ放送受信ユニット２３に「動作開始切替」を通知し（ステップＳ６）、出力切替ユニット２４に「アナログ放送出力」を依頼する（ステップＳ７）。これにより、デジタル放送受信ユニット２２の動作が停止する一方、アナログ放送受信ユニット２３の動作が開始し、アナログ放送受信ユニット２３からの映像／音声信号を出力切替ユニット２４が出力するので、アナログ放送番組を映像出力ユニット２６および音声出力ユニット２５で視聴できる。
【００１６】
さらに、上記のＡＶシステムにおいては、ＡＶ機器をアナログ放送受信ユニット２３からデジタル放送受信ユニット２２に切替えてデジタル放送番組の映像を映像出力ユニット２６に表示させたとき、通常はデジタル放送受信ユニット２２から映像出力ユニット２６に出力されず映像出力ユニット２６には表示されない現在の番組に関する情報（より詳細には現在視聴中の番組に関する情報）を自動的にデジタル放送受信ユニット２２から映像出力ユニット２６に一時的に出力させて、図１に示すように、現在の番組に関する情報（例えば放送局名５２、チャンネル番号５３および現在の番組内容５４であり、文字情報）を現在の番組映像５１（より詳細には現在視聴中の番組映像５１）に重畳させて映像出力ユニット２６に表示させることができる。この現在の番組に関する情報は前記のように一時的に映像出力ユニット２６に表示されるものであり、利用者が充分確認できる時間表示されたならば、デジタル放送受信ユニット２２からの出力が自動的に停止して映像出力ユニット２６上から自動的に消去される。さらに、前回、上記のようにして映像出力ユニット２６に表示された番組に関する情報を図５の不揮発性記憶装置３６に記憶し、今回、アナログ放送受信ユニット２３からデジタル放送受信ユニット２２に切替えたときデジタル放送受信ユニット２２から出力されようとする現在の番組に関する情報を前記記憶番組情報と比較し、もし両方の情報が同等であれば、今回の切替え時に現在の番組に関する情報がデジタル放送受信ユニット２２から出力されることを禁止し、番組情報が映像出力ユニット２６に表示されることを禁止する。これにより、必要以上に番組情報が表示されることを防止して、利用者が感じうる不快感を抑える。
【００１７】
このような現在の番組に関する情報の表示動作を図７のフローチャートを参照してより詳細に説明すれば次の通りである。ＡＶ機器をアナログ放送受信ユニット２３からデジタル放送受信ユニット２２に切替えたとき、デジタル放送受信ユニット２２から出力されようとする現在の番組に関する情報を取得する（ステップＳ１１）。そして、この情報を、図５の不揮発性記憶装置３６に記憶されている前回、映像出力ユニット２６に表示された番組情報と比較する（ステップＳ１２）。そして、もし両方の番組情報が同等であれば、デジタル放送受信ユニット２２からの現在の番組に関する情報の出力を禁止し、ひいては映像出力ユニット２６上における現在の番組に関する情報の表示を禁止し、終了となる。一方、両方の番組情報をステップＳ１２で比較したところ、両方の番組情報が同等でないと判断されたときは、デジタル放送受信ユニット２２から現在の番組に関する情報を出力し、図１に示すように、映像出力ユニット２６上で、現在の番組映像５１に重畳させて現在の番組に関する情報５２〜５４を表示させる（ステップＳ１３）。この情報表示から所定時間が経過したかを計時する（ステップＳ１４）。そして、所定時間以内にユーザ（操作部２７）から他の要求があった場合は（ステップＳ１５）、その時点で情報表示動作を終了する。一方、ユーザから他の要求がなければそのまま情報表示動作を続けて、所定時間が経過したところでデジタル放送受信ユニット２２からの現在の番組に関する情報出力を停止し、現在の番組に関する情報５２〜５４を映像出力ユニット２６上から消去させる（ステップＳ１６）。同時に、いま表示されていた情報を次回の同一切替え時の情報比較のために図５の不揮発性記憶装置３６に記憶させる（ステップＳ１７）。
【００１８】
なお、デジタル放送受信ユニット２２からは、現在の番組映像および現在の番組に関する情報に加えて他のチャンネルの番組情報を出力させることができる。したがって、デジタル放送受信ユニット２２に切替えた際、図２に示すように、現在の番組映像６１、現在の番組に関する情報６２および他のチャンネルの番組情報６３を映像出力ユニット２６上に表示させることもできる。勿論この場合も情報表示は切替え時の一時的なものとする。さらに、今回の情報と前回表示された情報とを比較して両方の情報が同等と判断されたときは、情報６２，６３の表示を禁止する。さらに、この場合は、図２に示すように画面分割で現在の番組映像６１、現在の番組に関する情報６２および他チャンネルの番組情報６３を映像出力ユニット２６上に表示させることが好ましい。また、現在の番組に関する情報６２は表示を省略して、情報としては他チャンネルの番組情報６３のみを表示させることもできる。
【００１９】
そして、以上のようなＡＶシステムによれば、デジタル放送受信ユニット２２に切替えた際、自動的に一時的に現在の番組に関する情報および／または他チャンネルの番組情報が映像出力ユニット２６に表示されるので、利用者の手を煩わすことなく前記情報を利用者が確認することが可能となり、利用者の利便性を高めることができる。また、常に利用者の視線が注がれている映像出力ユニット（共有モニタ）２６に前記情報を表示させるようにしたので、より利用者の利便性を高めることができ、さらに映像出力ユニット（共有モニタ）２６の場合は画面が大きいので、表示情報が現在の番組に関する情報であれば、放送局名、チャンネル番号に加えて番組内容まで大きな文字で表示させることができ、同時に他チャンネルの番組情報も大きな文字で表示させることが可能となり、提供可能な情報量を増大させることができる。さらに、今回切替時の情報と前回表示の情報とを比較して、両方の情報が同等ならば情報の表示を禁止するようにしたので、必要以上に情報が表示されて利用者に不快感を与えることを防止できる。
【００２０】
なお、上記の実施の形態は、本発明を図４の一体型のＡＶシステムに適用した場合であるが、本発明は、図３の構成のＡＶシステム、さらにはその他の構成法のＡＶシステムにも適用できることは勿論である。また、上記の実施の形態は、本発明をデジタル放送受信手段に適用した場合であるが、本発明は、その他のＡＶ機器にも勿論適用できる。
【００２１】
【発明の効果】
以上詳細に説明したように本発明のＡＶシステムによれば、ＡＶ機器を切替えたときの利用者の利便性を高めることができる
【図面の簡単な説明】
【図１】本発明によるＡＶシステムの実施の形態で、映像出力ユニットに表示される第１の表示例を示す正面図。
【図２】本発明によるＡＶシステムの実施の形態で、映像出力ユニットに表示される第２の表示例を示す正面図。
【図３】ＡＶシステムの第１の構成例を示すブロック図。
【図４】ＡＶシステムの第２の構成例を示すブロック図。
【図５】図４のＡＶシステムにおけるデジタル放送受信ユニットの内部構成を詳細に示すブロック図。
【図６】本発明の実施の形態における動作を示すフローチャート。
【図７】本発明の実施の形態における動作を示すフローチャート。
【符号の説明】
２２  デジタル放送受信ユニット
２３  アナログ放送受信ユニット
２５  音声出力ユニット（共有スピーカ）
２６  映像出力ユニット（共有モニタ）
５１，６１  現在視聴中の番組映像
５２〜５４，６２  現在視聴中の番組に関する情報
６３  他のチャンネルの番組情報
【図１】
0003968467.tif 000002
【図２】
0003968467.tif 000003
【図３】
0003968467.tif 000004
【図４】
0003968467.tif 000005
【図５】
0003968467.tif 000006
【図６】
0003968467.tif 000007
【図７】
0003968467.tif 000008